(57)【要約】【課題】簡単な構造にて高い防滴機能を実現する。【解決手段】ストラップ取付金具２０は、その他端部２２ａが外装から右方に突出するように組み付けられる。ストラップ取付金具２０には、その外周を取り巻くように環状の防滴ゴム５が装着される。外装の一部であるサイドカバー３は、Ｘ方向に組み付けられて防滴ゴム５の下側部５ｂを押圧し、下側部５ｂを、ストラップ取付金具２０の垂直部２３の当接面２３ａが受け止める。また、外装の一部である上カバー１はＹ方向に組み付けられて下側部５ｂを押圧し、下側部５ｂをメインシャーシ６の受け面６ａ及びサイドカバー３の延設壁部３１の受け面３１ａが協働して受け止める。【選択図】図３
2013011806.tif 000002
【特許請求の範囲】
【請求項１】
シャーシ部材と、
一端部が前記シャーシ部材に固定されると共に、他端部が外側に突出するストラップ取付部材と、
前記ストラップ取付部材の外周を覆うように装着される略環状の弾性部材と、
前記ストラップ取り付け部材の一方面側で前記ストラップ取付部材の突出方向から前記シャーシ部材に組み付けられ、前記シャーシ部材に組み付けられた状態で、前記ストラップ取付部材に装着された前記弾性部材を組み付け方向に押圧する第１の外装部材と、
前記ストラップ取付部材の他方面側で前記ストラップ取付部材の突出方向に垂直な方向から前記シャーシ部材に組み付けられ、前記シャーシ部材に組み付けられた状態で、前記ストラップ取付部材に装着された前記弾性部材を組み付け方向に押圧する第２の外装部材と、
前記シャーシ部材に組み付けられた状態の前記第１の外装部材によって押圧される前記弾性部材を受け止める第１の受け部と、
前記シャーシ部材に組み付けられた状態の前記第２の外装部材によって押圧される前記弾性部材を受け止める第２の受け部とを有することを特徴とする電子機器。
【請求項２】
前記第１の受け部が前記ストラップ取付部材に形成され、前記第２の受け部が前記シャーシ部材に形成されることを特徴とする請求項１記載の電子機器。
【請求項３】
前記第１の受け部及び前記第２の受け部は、前記ストラップ取付部材の前記一方面側で前記弾性部材に当接することを特徴とする請求項１または２記載の電子機器。
【請求項４】
前記シャーシ部材に組み付けられた状態の前記第２の外装部材によって押圧される前記弾性部材を、前記第２の受け部と協働して受け止める第３の受け部が前記第１の外装部材に形成されることを特徴とする請求項１ないし３のいずれか１項に記載の電子機器。
【請求項５】
前記第３の受け部は、前記ストラップ取付部材の前記一方面側で前記弾性部材に当接することを特徴とする請求項４記載のストラップ部材の取り付け構造。
【請求項６】
前記弾性部材の、前記ストラップ取り付け部材の前記一方面側となる部分には、前記第２の外装部材の組み付け方向に突設される突設部が形成され、前記突設部は、前記シャーシ部材に組み付けられた状態の前記第１の外装部材の前記第３の受け部に対して、撓んだ状態で当接することを特徴とする請求項４または５に記載の電子機器。
【発明の詳細な説明】
【技術分野】
【０００１】
本発明は、カメラ等の電子機器に関し、特にストラップ取付部材を備える電子機器に関する。
【背景技術】
【０００２】
従来、カメラ等の電子機器において、ストラップ取付部材が外側に突出して露出するように設けられたものが知られている。このような機器では、ストラップ取付部材の設けられる外装部材の開口部分から水滴が入ることを防ぐ、いわゆる防滴機能を確保したものが知られている。
【０００３】
例えば特許文献１では、丸形の取付孔を有する外装カバーと、この外装カバーに挿通され、取付孔に回転自在に嵌合する外周面を有するストラップ取付金具とを備える。このストラップ取付金具の内側挿通端部を係止する略Ｌ字状のホルダーを外装カバー内にネジ止めする。外装カバーの取付孔が丸形状であることからＯリングを取付孔の内周面に密着させることができる。
【０００４】
また、特許文献２では、ストラップ取付金具を、外装カバーの開口との間の隙間を封じるように、接着剤（シール材）を用いて外装カバーの内面に固定する。ストラップ取付金具と外装カバーに、これらを貫通する取付穴を形成し、ボディフレームに貫通穴を通して取付ネジを締め付けるためのネジ穴を形成し、ボディフレームにストラップ取付金具と外装カバーを共締めする構成となっている。
【先行技術文献】
【特許文献】
【０００５】
【特許文献１】特開平５−２６９０１５号公報
【特許文献２】特開平９−１８５１１３号公報
【発明の概要】
【発明が解決しようとする課題】
【０００６】
しかしながら、上記の特許文献１では、防滴するためのＯリングが追加されるだけでなく、略Ｌ字状のホルダーも必要となり、コストアップの要因となってしまう。さらに、この構成では外装カバーの金型抜き方向に直交する取付孔を加工するための２次加工の工程が必要となり加工コストも上昇する。
【０００７】
また、上記の特許文献２では、接着剤によりストラップ取付金具と外装カバーの開口との間の隙間を封じる構成であるため、接着剤を塗布するという煩雑な工程が必要となりコストアップの要因となってしまう。
【０００８】
本発明は上記従来技術の問題を解決するためになされたものであり、その目的は、簡単な構造にて高い防滴機能を実現することにある。
【課題を解決するための手段】
【０００９】
上記目的を達成するために本発明は、シャーシ部材と、一端部が前記シャーシ部材に固定されると共に、他端部が外側に突出するストラップ取付部材と、前記ストラップ取付部材の外周を覆うように装着される略環状の弾性部材と、前記ストラップ取り付け部材の一方面側で前記ストラップ取付部材の突出方向から前記シャーシ部材に組み付けられ、前記シャーシ部材に組み付けられた状態で、前記ストラップ取付部材に装着された前記弾性部材を組み付け方向に押圧する第１の外装部材と、前記ストラップ取付部材の他方面側で前記ストラップ取付部材の突出方向に垂直な方向から前記シャーシ部材に組み付けられ、前記シャーシ部材に組み付けられた状態で、前記ストラップ取付部材に装着された前記弾性部材を組み付け方向に押圧する第２の外装部材と、前記シャーシ部材に組み付けられた状態の前記第１の外装部材によって押圧される前記弾性部材を受け止める第１の受け部と、前記シャーシ部材に組み付けられた状態の前記第２の外装部材によって押圧される前記弾性部材を受け止める第２の受け部とを有することを特徴とする。
【発明の効果】
【００１０】
本発明によれば、簡単な構造にて高い防滴機能を実現することができる。
【図面の簡単な説明】
【００１１】
【図１】本発明の第１の実施の形態に係る電子機器の一例としてのカメラの斜視図、側面図である。
【図２】ストラップ取付金具及びサイドカバーの取り付け方を示すカメラの主要分解斜視図、防滴ゴムの斜視図である。
【図３】図１（ｂ）のＡ−Ａ線に沿う断面図である。
【図４】防滴ゴムが各方向から押圧力を受けたときの変形の挙動を示す図である。
【図５】防滴ゴムが各方向から押圧力を受けたときの変形の挙動を示す図である。
【図６】本発明の第２の実施の形態に係るストラップ取付部材の取り付け構造が適用されるカメラの図１（ｂ）のＡ−Ａ線に沿う断面図、及び変形例を示す断面図である。
【発明を実施するための形態】
【００１２】
以下、本発明の実施の形態を図面を参照して説明する。
【００１３】
（第１の実施の形態）
図１（ａ）は、本発明の第１の実施の形態に係る電子機器の一例としてのカメラの斜視図である。図１（ｂ）は、同カメラの側面図である。本実施の形態では、カメラとして一眼レフカメラを例示するが、一眼レフに限られず、また、デジタル式であるか否かは問わない。本実施の形態は主に、ストラップ部材の取り付け部分における防滴構造に工夫を加えてカメラの防滴効果を高めたものである。
【００１４】
図１（ａ）では、カメラを撮影レンズが配置される前側（被写体側）且つ斜め方向から見ており、左右方向については被写体側から見て呼称する。従って、図１（ｂ）は、カメラの右側面図となる。
【００１５】
このカメラの外装の一部を構成する部材として、右側部を覆う第１の外装部材であるサイドカバー３、及び、上部を覆う第２の外装部材である上カバー１がある。外装の一部を構成する部材として、上部や右側部以外の領域を覆うカバーも存在するが、それらについての説明は省略する。
【００１６】
カメラの右側部には、ストラップ取付部材としてのストラップ取付金具２０が配設される。ストラップ取付金具２０は、上下方向における上カバー１とサイドカバー３の間、すなわちカバー合わせ部に位置する。カメラ前面右部には滑り止めラバー４が貼り付けられている。滑り止めラバー４は、ストラップ取付金具２０の下側まで周り込ませてあり、カメラを保持したときに滑りにくくしている。
【００１７】
図２（ａ）は、ストラップ取付金具２０及びサイドカバー３の取り付け方を示すカメラの主要分解斜視図である。この図では、前カバー、後カバー、底面カバー、ミラーボックス等の図示は省略している。ストラップ取付金具２０には、環状の弾性部材である防滴ゴム５が装着される。このカメラの外装の内部には、シャーシ部材としてのメインシャーシ６が配設され、メインシャーシ６に対して各種の部品が固定的に取り付けられる。
【００１８】
図２（ｂ）は、防滴ゴム５の斜視図である。防滴ゴム５は、ストラップ取付金具２０が挿入される内周部５ｇを有した略環状（円形ではないが繋がった輪状）の部材である。内周部５ｇの貫通方向から見て、上部に上側部５ａ、下部に下側部５ｂがあり、上側部５ａと下側部５ｂとの間が接続部５ｄと接続部５ｃとで繋がって、全体としてリング状乃至ループ状になっている。防滴ゴム５がストラップ取付金具２０の外周を覆うように装着されるとき、ストラップ取付金具２０の一方面側に下側部５ｂが位置し、ストラップ取付金具２０の他方面側に上側部５ａが位置する。上側部５ａよりも下側部５ｂの方が上下方向の厚みが厚い。また、上側部５ａ及び下側部５ｂには、凹状のネジ避け用の逃げ部５ｆが形成されている。
【００１９】
上カバー１の材質はマグネシウム合金、サイドカバー３及びメインシャーシ６の材質は樹脂である。防滴ゴム５の材質は弾性を有する部材であって、例えばシリコンラバーであり、硬度は７０度である。しかし、これらの各部材の材質は、上記例示したものと同じ材質ではなくても良い。例えば、上カバー１の材質は樹脂でもよいし、サイドカバー３及びメインシャーシ６は金属でもよいし、防滴ゴム５の材質はシリコンラバーに限られず、硬度も７０度でなくてもよい。
【００２０】
図３は、図１（ｂ）のＡ−Ａ線に沿う断面図である。図２（ａ）、（ｂ）、図３を参照して、各構成要素やその組み付け態様を組み付け順に説明する。
【００２１】
まず、防滴ゴム５をストラップ取付金具２０に横方向（右方）から嵌め込む。すなわち、防滴ゴム５の内周部５ｇにストラップ取付金具２０を挿入することで、防滴ゴム５とストラップ取付金具２０を一体化する。防滴ゴム５を嵌め込んだストラップ取付金具２０を上方からメインシャーシ６に取り付け、ネジ７ａ、７ｂでストラップ取付金具２０の一端部（左端部）をメインシャーシ６に固定する。次に上カバー１を上方からメインシャーシ６に取り付け、ネジ７ｃでストラップ取付金具２０を上カバー１に固定する。ネジ７ｃはストラップ取付金具２０を下方から上カバー１に固定する。逃げ部５ｆはネジ７ｃを逃げるために形成されている。上カバー１を取り付けると、防滴ゴム５は、上側部５ａがストラップ取付金具２０と上カバー１とに挟み込まれる状態となることで、上カバー１とストラップ取付金具２０との間の隙間が塞がれる。次にサイドカバー３をカメラ右側方からメインシャーシ６に取り付け、ネジ７ｄ、７ｅでサイドカバー３をメインシャーシ６に固定する。
【００２２】
このようにして組み付けられたストラップ取付金具２０は、その自由端部である他端部２２ａが外装（ここでは上カバー１及びサイドカバー３）から右方外側に突出した状態となる（図３参照）。従って、ストラップ取付金具２０の突出方向は左右方向と略一致する。
【００２３】
組み付け状態をより詳細に説明する。図３に示すように、ストラップ取付金具２０は前側から見てクランク形状に形成されており、左半部である第１の水平部２１と右半部である第２の水平部２２とが垂直部２３で繋がっている。防滴ゴム５は、下側部５ｂの左方（内側）が垂直部２３の当接面２３ａに当接している。当接面２３ａが第１の受け部として機能している。防滴ゴム５を装着したストラップ取付金具２０がメインシャーシ６に固定されると、防滴ゴム５の下側部５ｂがメインシャーシ６の受け面６ａに当接する。受け面６ａは第２の受け部として機能する。そして、ストラップ取付金具２０を固定したメインシャーシ６に上カバー１を固定すると、防滴ゴム５の上側部５ａが上カバー１の押圧面１ａによって下方に押圧される。防滴ゴム５の下側部５ｂの下方は受け面６ａに当接しているので、防滴ゴム５の上側部５ａおよび下側部５ｂは共に圧縮される。
【００２４】
サイドカバー３の上部に延びる縦壁部３２の内側には、左方に延設壁部３１が延設形成されている。さらに、サイドカバー３が組み付けられると、サイドカバー３の縦壁部３２の押圧面３２ａが下側部５ｂを左方（内側）に押圧し、延設壁部３１の受け面３１ａが下側部５ｂの下面に当接する。延設壁部３１の受け面３１ａが第３の受け部として機能する。このとき、防滴ゴム５の下側部５ｂの左面（内側）は当接面２３ａに当接し、防滴ゴム５の下側部５ｂの下面は受け面６ａおよび延設壁部３１の受け面３１ａに当接している。従って、防滴ゴム５の下側部５ｂは、当接面２３ａと押圧面３２ａとの間で圧縮される。
【００２５】
ところで、図３の上方、右方がカメラの上方、右方であるが、以降、力を受ける方向を特定するために、左右方向、上下方向、前後方向について別途、向きの呼称を設ける。まず、左右方向において、外装の右側部から外装の内側へ向く方向をＸ方向（左方と一致）と称する。上下方向において、外装の上部から外装の内側へ向く方向をＹ方向（下方と一致）と称する。Ｙ方向は、ストラップ取付金具２０の突出方向に垂直であり、Ｘ方向とＹ方向とは直交する。Ｘ方向が、サイドカバー３の組み付け方向となり、Ｙ方向が、上カバー１の組み付け方向となる。
【００２６】
図４、図５は、防滴ゴム５が各方向から押圧力を受けたときの変形の挙動を示す図である。図４（ａ）、（ｂ）は、上記のＡ−Ａ線に沿う断面で示し、図４（ｃ）、（ｄ）、図５（ａ）は、防滴ゴム５を、内周部５ｇを貫通する方向（右方）から示している。図５（ｂ）は、防滴ゴム５が装着されたストラップ取付金具２０を前側から見た図となっている。
【００２７】
上記したように、防滴ゴム５は、上カバー１の押圧面１ａからＹ方向の圧縮力を受けると共に、サイドカバー３の押圧面３２ａからＸ方向の圧縮力を受ける（図４（ａ））。このように、ストラップ取付金具２０の突出方向（Ｘ方向）からサイドカバー３を組み付けることで防滴ゴム５が圧縮されると、図４（ｂ）に示すように、下側部５ｂがＸ方向において下方に撓むように変形しようとする。
【００２８】
一方、ストラップ取付金具２０の突出方向から見ると、サイドカバー３の組み込みによるＸ方向からの圧縮力により、図４（ｃ）に示す状態から、図４（ｄ）に示す状態のように、下側部５ｂが前後方向において下方に撓むように変形しようとする。この変形は、防滴ゴム５をストラップ取付金具２０に装着しただけでも起こりうる。
【００２９】
ストラップ取付金具２０と防滴ゴム５との密着性を高めるために、防滴ゴム５の開口部である内周部５ｇの大きさをストラップ取付金具２０の外周の大きさよりも若干小さくしている。しかし、ストラップ取付金具２０に防滴ゴム５を組み付けると、防滴ゴム５の接続部５ｄ及び接続部５ｃにおける内側のＲ形状には、ストラップ取付金具２０に倣って若干大きくなる方向に力が働く。そのため、防滴ゴム５が開口部の前後両端（接続部５ｄ、５ｃ）を起点に図４（ｄ）に示すように変形する可能性がある。このような変形も前述したように防滴性を低下させる要因となる。
【００３０】
仮に、メインシャーシ６の受け面６ａや、サイドカバー３の受け面３１ａが設けられていないとすると、実際に図４（ｂ）、（ｄ）に示すような変形を起こしやすい。この変形を起こすとストラップ取付金具２０と防滴ゴム５との密着性が低下し、両者の間に隙間が生じて防滴性が低下する。しかし本実施の形態では、受け面６ａ及び受け面３１ａを設け、これらが協働して下側部５ｂを受け止めるので、図４（ｂ）、（ｄ）に示すような変形が生じるのを効果的に抑制することができる。なお、受け面３１ａは水平面であるが、サイドカバー３の組み付け時における下側部５ｂとの係合を円滑にするためには、延設壁部３１の先端にいくにつれて受け面３１ａが若干下がるように傾斜させて形成してもよい。
【００３１】
さらに、防滴ゴム５は略環状であって接続部５ｄ及び接続部５ｃを有する。防滴ゴム５は、Ｘ方向、Ｙ方向からの直交する２方向の圧縮力を受けることで、図５（ｂ）に１点鎖線で示す防滴ゴム５ｘのように、下部が左方に延びようとする。しかし、本実施の形態では、下側部５ｂを当接面２３ａでＸ方向の反対方向から受け止めるようにしているため、防滴ゴム５ｘのような変形を抑制することができる。
【００３２】
これらのように、受け面６ａ、当接面２３ａ、受け面３１ａを設けたことで、防滴ゴム５がＸ方向及びＹ方向から押圧力を受けても、防滴ゴム５にストラップ取付金具２０との密着性を害するような変形が生じにくいようになっている。これにより、ストラップ取付金具２０周りの防滴性が向上している。なお、図５（ａ）に示すように、ストラップ取付金具２０のＺ方向（前後方向）については、上カバー１が防滴ゴム５をストラップ取付金具２０に押し付ける構成となっている。
【００３３】
また、上述のように、防滴ゴム５において、上側部５ａより下側部５ｂの方が肉厚が厚い。これにより、防滴ゴム５のサイドカバー３に圧縮される側である下側部５ｂの断面積が大きくなり、曲げに対する抵抗が大きくなるので、図４（ｂ）、（ｄ）、図５（ｂ）に示すような変形を起こし難くなっている。
【００３４】
本実施の形態によれば、サイドカバー３によって押圧される防滴ゴム５の下側部５ｂを受け止める当接面２３ａと、上カバー１によって押圧される防滴ゴム５の下側部５ｂを受け止める受け面６ａとを設けた。これらにより、防滴ゴム５の下側部５ｂが下方に撓みにくく、ストラップ取付金具２０との密着性が高まるので、簡単な構造にて高い防滴機能を実現することができる。しかも、受け面６ａと協働して受け面３１ａも下側部５ｂを受け止めるので、下側部５ｂが下方に一層撓みにくく、防滴機能が高まる。
【００３５】
構造が簡単であることから、部品点数も大幅に増えることがなく、煩雑な工程も不要である。よって、コストアップを抑制することができる。
【００３６】
なお、本実施の形態において、受け面６ａ、当接面２３ａ、受け面３１ａはいずれも、防滴ゴム５を受け止める機能を有すればよく、平坦な面という形態とすることは必須でない。
【００３７】
また、当接面２３ａについては、ストラップ取付金具２０の曲げによって形成した垂直部２３の右面を突き当て形状にして利用したが、これに限らない。すなわち、外装内部において固定的な部分を利用すればよく、メインシャーシ６に設けてもよいし、メインシャーシ６以外の内蔵部品に形成してもよい。また、ストラップ取付金具２０は、メインシャーシ６以外の内蔵部品に固定してもよい。
【００３８】
（第２の実施の形態）
図６（ａ）、（ｂ）は、本発明の第２の実施の形態に係るストラップ取付部材の取り付け構造が適用されるカメラの図１（ｂ）のＡ−Ａ線に沿う断面図である。第２の実施の形態においては、上記した第１の実施の形態に対して、防滴ゴム５及びサイドカバー３の構成が異なり、その他の構成は同様であるので、同一部分の構成や組み付け手順の説明を省略する。
【００３９】
図６（ａ）では、サイドカバー３が組み付けられる前の状態が示され、図６（ｂ）では、サイドカバー３が組み付けられた状態を示す。
【００４０】
本実施の形態における防滴ゴム５には、下側部５ｂの右側下部に、突設部５ｅが突設される。突設部５ｅの突設方向は下方であり、上カバー１の組み付け方向でもある。防滴ゴム５のその他の部分の構成は第１の実施の形態のものと同じである。
【００４１】
サイドカバー３の延設壁部３１は、突設部５ｅに合わせるように、第１の実施の形態のものに比べて低い位置から延設されている。サイドカバー３のその他の部分の構成は第１の実施の形態のものと同じである。
【００４２】
サイドカバー３が組み付けられるとき、延設壁部３１によって突設部５ｅが左方に付勢されて変形する。そして、図６（ｂ）に示すように、サイドカバー３が組み付けられた状態では、突設部５ｅが左方に撓んだ状態で受け面３１ａに当接するようになる。突設部５ｅの変形により、防滴ゴム５の下側部５ｂをストラップ取付金具２０の側に押し付ける力が働く。このことにより、防滴ゴム５の下側部５ｂとストラップ取付金具２０との密着性が高まるので高い防滴性が確保される。
【００４３】
なお、サイドカバー３が組み付けられたときに下側部５ｂに上方への付勢力が働くようにする観点からは、図６（ａ）、（ｂ）に示すような構成に限られない。例えば、図６（ｃ）に変形例を示すように、延設壁部３１の先端にいくにつれて受け面３１ａが若干下がるように傾斜させてテーパ状に形成する。受け面３１ａはテーパ面となる。一方、下側部５ｂの右側下部には、受け面３１ａに対応するテーパ面５ｈを形成する。サイドカバー３が組み付け方向に変位すると、受け面３１ａがテーパ面５ｈを押圧するので、下側部５ｂは上方且つ左方に押しつけられる。このような構成であっても、下側部５ｂとストラップ取付金具２０との密着性が高まる。なお、テーパ面とするのは、受け面３１ａとテーパ面５ｈの少なくとも一方であってもよい。
【００４４】
なお、本発明は、ストラップ取付部材を設けることがあるような機器であれば、カメラ以外の電子機器であっても適用可能である。
【００４５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４６】
１  上カバー
３  サイドカバー
５  防滴ゴム
５ｂ  下側部
６  メインシャーシ
６ａ  受け面
２０  ストラップ取付金具
２２ａ  他端部
２３ａ  当接面
３１ａ  受け面
【図１】
2013011806.tif 000003
【図２】
2013011806.tif 000004
【図３】
2013011806.tif 000005
【図４】
2013011806.tif 000006
【図５】
2013011806.tif 000007
【図６】
2013011806.tif 000008